(57)【特許請求の範囲】
【請求項１】
本体部に保持されるヘッド部に開閉可能に組み付けた刃枠に、外刃とこれに下方から弾接して回転する内刃とを有する複数の刃ユニットを装着し、前記刃ユニットを前記刃枠の中心から放射方向にのびる直線に直交しかつ外刃の中心を通る揺動軸回りに揺動可能とした電気かみそりにおいて、
各刃ユニットの外刃が固定された外刃リムと一体化され前記刃枠に形成された上方に向かって拡径する球面形の取付口に可動に保持される複数の外刃ケース組と、
前記外刃リムに下方に向かって突設され前記取付口に上方から押し込んで前記取付口の開口下縁に係合させて前記外刃リムを前記揺動軸回りに揺動可能に保持する一対の係合爪と、
前記外刃リムの前記刃枠外周側を前記取付口の上縁に張り出させ刃枠中心側の上昇を規制するための張り出しと、
前記各外刃ケース組の刃枠中心側に下方から接触して各外刃ケース組の刃枠中心側を押し上げるリング状の押上板と、
前記刃枠に保持され前記押上板の下方に位置する刃押え板と、
この刃押え板と前記押上板との間に縮装されこの押上板の刃枠中心側に上向きの復帰習性を付与する外刃フロートバネと、
を備えることを特徴とする電気かみそり。
【請求項２】
刃押え板には、髭剃り面に垂直でかつ刃枠の中心を通る中心軸回りに回動可能な着脱板を保持し、前記着脱板を刃枠内面に固定した固定リブに係脱可能とした請求項１の電気かみそり。
【請求項３】
刃押え板には各刃ユニットの内刃の脱落を防ぐ内刃落下防止リングが一体に形成されている請求項１の電気かみそり。
【発明の詳細な説明】
【技術分野】
【０００１】
この発明は、本体部に保持される刃枠に、外刃とこれに下方から弾接して回転する内刃とを有する複数の刃ユニットを装着した電気かみそりに関するものである。
【背景技術】
【０００２】
この種の電気かみそりでは、略円盤状の外刃が皮膚に大きな押圧力で押圧された時に外刃が皮膚に大きくくい込み、髭が過度に深剃りになったり、外刃の外周縁と皮膚との接触圧が過大になって使用感が悪くなるおそれがある。そこで従来より外刃の外周を外刃リム（皮膚支持リム）で囲み、外刃と皮膚との接触圧が過大になるのを防ぐことが提案されている（特許文献１）。
【先行技術文献】
【特許文献】
【０００３】
【特許文献１】特表平０９−５０３４２４
【０００４】
この特許文献１に示されたものでは、外刃リム（皮膚支持リム）を刃枠に対して可動に保持すると共に、外刃をこの外刃リムに対して可動に保持している。そして外刃が皮膚に強く接触する時には、外刃の周囲の皮膚が外刃リムを押し下げることにより接触圧を外刃と外刃リムとで分けて受け、外刃に対する接触圧を減らすものである。
【０００５】
またここには、隣接する外刃リムをヒンジで結合することにより、隣接する外刃リムの高さが大きく不揃いになるのを防ぎ、皮膚の曲面に沿わせてヘッドの髭剃り面を滑らす時に滑り易くすることも示されている。
【発明の概要】
【発明が解決しようとする課題】
【０００６】
特許文献１のものによれば、外刃が外刃リムに対して可動であるから、外刃の移動量（沈み込み量あるいは揺動量）を大きくすると外刃の縁が外刃リムの外刃取付口の開口縁に引っ掛かり易いという問題がある。すなわち外刃は外刃リムの外刃取付口に下方から挿入し外刃のフランジを外刃リムの外刃取付口の内縁に係合させているから、皮膚を外刃に強く押し付けると外刃が外刃リム内に深く進入するからである。
【０００７】
また隣接する外刃リムが互いにヒンジで結合されているため、１つの外刃リムの上下動や揺動（回動）が隣りの外刃リムを上下動や揺動させることになり、各外刃リムの独立した動作の障害になる。すなわち１つの外刃が皮膚の凹凸に対応して沈み込む時（あるいは揺動する時）に隣りの外刃リムと外刃も連動して沈み込む（揺動する）ことになり、隣りの外刃の剃り味に影響する。
【０００８】
さらに１つの外刃の上下動（揺動）に連動する部材が多くなるので、上下動時の抵抗が大きくなる。さらにまた、各外刃リムの間にヒンジ構造が存在するため、外刃の外径が小さくなったりヘッドの髭剃り面積（各外刃の髭剃り面の合計面積）が小さくなる。逆に外刃の外径を大きくすると刃枠が大型化する。
【０００９】
この発明はこのような事情に鑑みなされたものであり、外刃が沈み込む時に外刃が外刃リムの取付口の内縁に引っ掛かることが無く、隣接する外刃リムの動作（沈み込み、揺動など）が互いに影響せずそれぞれの外刃の独立した動作を可能にし、隣接する外刃リムの高さや傾きに差が生じてもヘッドの円滑な移動の障害にならず、外刃の上下動（揺動）が小抵抗で円滑になり、髭剃り面積を大きくできるようにした電気かみそりを提供することを目的とする。
【課題を解決するための手段】
【００１０】
この発明によればこの目的は、本体部に保持されるヘッド部に開閉可能に組み付けた刃枠に、外刃とこれに下方から弾接して回転する内刃とを有する複数の刃ユニットを装着し、前記刃ユニットを前記刃枠の中心から放射方向にのびる直線に直交しかつ外刃の中心を通る揺動軸回りに揺動可能とした電気かみそりにおいて、各刃ユニットの外刃が固定された外刃リムと一体化され前記刃枠に形成された上方に向かって拡径する球面形の取付口に可動に保持される複数の外刃ケース組と、前記外刃リムに下方に向かって突設され前記取付口に上方から押し込んで前記取付口の開口下縁に係合させて前記外刃リムを前記揺動軸回りに揺動可能に保持する一対の係合爪と、前記外刃リムの前記刃枠外周側を前記取付口の上縁に張り出させ刃枠中心側の上昇を規制するための張り出しと、前記各外刃ケース組の刃枠中心側に下方から接触して各外刃ケース組の刃枠中心側を押し上げるリング状の押上板と、前記刃枠に保持され前記押上板の下方に位置する刃押え板と、この刃押え板と前記押上板との間に縮装されこの押上板に上向きの復帰習性を付与する外刃フロートバネと、を備えることを特徴とする電気かみそり、により達成される。
【発明の効果】
【００１１】
この発明によれば、外刃と外刃リムとを一体に固定したので外刃が外刃リムに対して沈み込んだり回動（揺動）することがなく、外刃リムに引っ掛かることがない。また外刃と外刃リムとを一体化した複数の外刃ケース組は、それぞれ刃枠に設けた上方に向かって拡
径する球面形の取付口に可動に保持する。すなわち外刃リムには下方に向かって一対の係合爪を突設し、外刃リムを取付口に上方から装填しこれら係合爪を前記取付口の開口下縁に係合させて前記外刃リムを前記揺動軸回りに揺動可能に保持する一方、前記外刃リムの前記刃枠外周側を前記取付口の上縁に張り出させ刃枠中心側の上昇を規制するための張り出しとすると共に、外刃リムの刃枠中心側をリング状の押上板により押し上げているので、隣接する外刃ケース組の動作が互いに影響せず、隣接する外刃の剃り味に影響しない。
【００１２】
さらに各外刃ケース組は独立しているので、１つの外刃ケース組の動作が他の外刃ケース組を上下動や揺動させることがなく、上下動時の抵抗が増えることもない。さらにまた各外刃リムの間には刃枠が存在するから隣接する外刃の高さや傾きの差が大きくなっても間にある刃枠がこの高さの差を緩和することになり、ヘッドの滑らかな移動が可能である。
【００１３】
このため各外刃リムの間にヒンジ構造が不要になるので外刃を大径化して髭剃り面積を大きくでき、逆に外刃の径を大きくしても刃枠が大型化するのを防ぐことができる。
【図面の簡単な説明】
【００１４】
【図１】本発明の一実施例の外観を示す斜視図である。
【図２】図１におけるII−II線断面図である。
【図３】図２の一部拡大図である。
【図４】同じくヘッド部の分解斜視図である。
【図５】同じくヘッド部の外観を示す平面図である。
【図６】図５におけるVI−VI線断面図である。
【図７】同じくヘッド部の内部を示す底面図である。
【図８】同じくヘッド部の内部を斜め下方から見た斜視図である。
【図９】同じくヘッド部を斜め下方から見た分解斜視図である。
【図１０】刃押え板を含む着脱部の斜視図である。
【発明を実施するための形態】
【００１６】
外刃ケース組を刃枠に３組保持する場合は、刃枠の中心に対して３つの外刃の中心が正三角形の頂点に位置するように配置することができる。外刃ケース組を２組保持する場合は、刃枠の中心に対して対称位置に各外刃の中心が位置するようにすればよい。本発明では外刃ケース組は３組備えるものが最も望ましいが、２組であっても、３組以上備えるものであってもよい。
【００１７】
外刃ケース組は刃枠の中心側が下方に沈み込むように揺動するだけであってもよいが、さらに外刃ケース組全体が下方に沈み込むようにしてもよい。例えば、外刃リムに設けた係合爪を刃枠の取付口の縁に下方へ移動（沈み込み）可能に下方から係止するように構成すればよい。
【００１８】
各外刃ケース組を押し上げる押上板は、刃枠に保持された刃押え板との間に縮装された外刃フロートバネによって上向きに弾性支持されるが、この刃押え板には刃枠の中心軸（刃枠の上面あるいは髭剃り面に垂直でかつ刃枠の中心を通る軸）回りに回動可能な着脱板を保持してこの着脱板を刃枠内面に係脱可能にする。例えば刃枠に固定（あるいは一体成形）した固定リブに着脱板の周縁に設けた突起を周方向に係脱するように構成することができる（請求項２）。
【００１９】
刃枠内面に保持する刃押え板には、各刃ユニットの内刃の脱落を防ぐ内刃落下防止リングを一体に形成しておくことができる（請求項３）。すなわち刃枠に刃ユニットを組付けたヘッド部を本体部に着脱する際に内刃が刃ユニットから外れて落下するのをこのリングで防ぎ、ヘッド部の着脱を容易にするものである。
【００２１】
なお３つの刃ユニットを有する場合には、刃押え板に一体成形する３つの内刃落下防止リングの間には空隙ができるから、この空隙を利用して刃枠の中心軸上に押上板や外刃フロートバネなどを同軸に収まり良く収容できる。このためヘッド部の小型化に適するものとなる。
【実施例１】
【００２２】
図１〜４において符号１０は本体部であり、略円柱状のグリップ部１２の上部を斜め前上方へ折曲したケース１４を持つ。このケース１４は前後割りであり、図２に示すように、その内部には充電可能な電池１６、電気モータ１８、制御回路基板２０などが収容されている。ケース１４の前面には電源スイッチ２２が取付けられ、このスイッチ２２の下方には電池１６の充電残量や動作状態などを示すＬＥＤランプからなる表示器２４がケース１４の半透明部分１４Ａを通して外から目視可能となっている。
【００２３】
ケース１４の上部にはヘッド部２６が開閉可能かつ着脱可能に取付けられている。なおヘッド部２６は、その髭剃り面（後記刃枠６６の上面）が斜め前上方を指向するようにケース１４のグリップ部１２に対して傾いている。前記電気モータ１８はその回転出力軸がこのヘッド部２６を指向している。
【００２４】
本体部１０の上部を塞ぐ内上蓋板２８と電気モータ１８を固定する内底蓋板３０との間には減速機３２が収容されている（図３）。減速機３２は、モータ１８の回転出力軸１８Ａの回転を小歯車３２Ａおよび内刃大歯車３２Ｂで減速し、３本の内刃駆動軸３４に大平歯車３６を介して伝達する。なお内刃駆動軸３４の下端は内底蓋板３０に軸支され、中間部は内上蓋板２８を貫通しヘッド部２６内に進出している。
【００２５】
３本の内刃駆動軸３４に固定した前記大平歯車３６は前記内刃大歯車３２Ｂの上面に形成した歯車に噛合している。またこの内刃大歯車３２Ｂの上面には偏心円筒カム３８が一体成形され、このカム３８はキワ剃り刃４０を駆動する。すなわちこのカム３８に係合して揺動するカムホロワ４２は、内上蓋板２８を貫通して揺動するトリマー駆動レバー４４の支点部４６と一体であり、トリマー駆動レバー４４を左右に揺動させる。このトリマー駆動レバー４４はキワ剃り刃４０を起立させた時にこのキワ剃り刃４０に係入し、キワ剃り刃４０を往復動させる。
【００２６】
本体部１０の内上蓋板２８の上面には、防水板４８が固定され、この防水板４８の上方には略碗状のヘッド保持台５０が僅かに揺動可能に保持されている。前記した３本の内刃駆動軸３４は、ヘッド部２６の中心軸５２（図３〜７参照）を中心とする正三角形の頂点に位置する。これらの内刃駆動軸３４の下部は前記したように、内底蓋板３０に軸支され、その中間部は内上蓋板２８と防水板４８とヘッド保持台５０を貫通して上方にのびている。そして上端には自在継手５４が取付けられている。
【００２７】
ここに内刃駆動軸３４と防水板４８およびヘッド保持台５０との間にはそれぞれ略円錐状の柔軟なシール材５６、５８が装着されている（図３）。自在継手５４は、内刃駆動軸３４の上端に固定された連結駆動軸６０とこの連結駆動軸６０に対して軸方向にスライド自在に保持された連結被動軸６２と、これらの間に縮装されたコイルばね６４とを備える。なお連結被動軸６２の上端には平面視略四角形の球状部が形成されている。この球状部は後記する内刃８４のボス部８６に形成した下方に開く略四角形の凹部８８に下方から進入して遊動自在に係合する。
【００２８】
次にヘッド部２６を説明する。ヘッド部２６はヘッド保持台５０に上方へ開閉可能な刃枠６６に３組の刃ユニットを組付けたものである。刃枠６６は正面視略三角形で周縁をなだらかに下方へ湾曲させた形状である。刃枠６６には３つの円形の取付口６８が形成され（図３、４）、ここにそれぞれ外刃ケース組７０が可動に保持される。
【００２９】
すなわち外刃ケース組７０は、略円盤状で周縁が下方に折曲された外刃７２と、この外刃７２の外周が嵌め込まれた外刃リム７４と、この外刃リム７４の内周に嵌め込まれて外刃７２を外刃リム７４に固定するストッパリング７６とを備える（図３、６、９参照）。ここに外刃７２の上面には放射方向に多数の髭導入口が形成され、この上面は外刃リム７４より僅かに突出している。
【００３０】
なお刃枠６６の取付口６８の内周面には、図３に示すように上方に拡径する球面が形成され、外刃リム７４の外周面にはこれに対応する球面が形成されている。外刃リム７４には、刃枠６６の中心、すなわちヘッド部２６の中心軸５２を通る直線７８（図５に１本だけ示した）に直交しかつ外刃７２の中心を通る直線（すなわち揺動軸８０）付近の対称な位置に一対の係合爪８２、８２が下方に向かって突設されている（図４、７、８、９）。
【００３１】
これら係合爪８２、８２は外刃ケース組７０を刃枠６６の取付口６８に上方から押込んだ時に取付口６８の開口下縁に係合する。この結果外刃ケース組７０は係合爪８２、８２付近を支点として、揺動軸８０周りに揺動可能である。なお外刃リム７４の外周は揺動軸８０の外側が取付口６８の上縁に張り出している。このため外刃ケース組７０は刃枠６６の中心（中心軸５２）側の上昇が規制される一方、下降は許容される。ここに外刃リム７４は刃枠６６の中心（５２）側が後記する押上板９２によって弾力的に押上げられるから、外刃ケース組７０は中心（５２）側が弾性的に押下げ可能である。
【００３２】
外刃７２の内面には内刃８４が摺接しながら回転し、外刃７２の髭導入口に入った髭をこの内刃８４がカットするものである。これら外刃７２と内刃８４とで刃ユニットが形成される。内刃８４の下面にはボス部８６が固定され、このボス部８６に前記自在継手５４の連結被動軸６２が係入する下方に開く凹部８８が形成されている（図６〜９）。
【００３３】
９０は刃枠６６の内面に着脱可能とした刃押え板である。この刃押え板９０は図３、４、９、１０などに示すように、前記外刃ケース組７０の外刃リム７４を弾性的に押上げる押上板９２を保持するものである。すなわち刃押え板９０の中心に形成した円筒状のガイド部９０Ｃ（図３、６）にはリング状の押上板９２が、コイルばねからなる外刃フロートバネ９４を挟んで取付けられ、押上板９２の上面に等間隔に突設した３つのリブ９２Ａを外刃リム７４の下面に当接させる（図６、１０）。
【００３４】
ここに３つのリブは外刃リム７４に対して刃枠６６の中心（中心軸５２）側に当接する。このため３つの外刃ケース組７０はそれぞれの揺動軸８０を中心にして刃枠６６の中心側が弾性的に押上げられる。外刃７２が皮膚に当たって押下げられると、外刃ケース組７０は揺動軸８０を中心にして刃枠６６の中央側が沈み込む。この時に押上板９２がバネ９４を圧縮する。
【００３５】
刃押え板９０は三又状の着脱板９６によって刃枠６６の内側に着脱される。すなわち着脱板９６の中心には、刃押え板９０のガイド部９０Ｃ（図３）を回動可能に貫通する切込み付きの筒（コレット）９６Ａが形成され、この筒９６Ａの先端に設けた爪をガイド部９０Ｃの上端に係止したものである。この着脱板９６の放射状にのびる脚９６Ｂ（図１０）の先端は、刃枠６６の内面に突設した３つの固定リブ６６Ａに周方向に係脱可能である。
【００３６】
なお着脱板９６の筒９６Ａは、刃枠６６の下面中央（中心軸５２上）に突設した中央突起６６Ｂ（図６、９）に係合し、着脱板９６を位置決めする。また前記各リブ６６Ａの上縁には、刃押え板９０に形成した３つの凹溝９０Ａ（図１０）が係合し、刃押え板９０の位置決めをする。
【００３７】
前記ヘッド保持台５０は図３に示すように、防水板４８の中央に位置するボス部４８Ａに対向する開口５０Ａが形成され、この開口５０Ａを囲む上面にキャップ部材９８が摺接する。このキャップ部材９８はこれを上方から貫通するビス９８Ａをボス部４８Ａに螺入することによってボス部４８Ａに固定される。ヘッド保持台５０の中央部下面は、防水板４８のボス部４８Ａを囲み防水板４８との間に縮装されたコイルばね９８Ｂにより上向きに押されている。この結果ヘッド保持台５０の中央部は、キャップ部材９８とコイルばね９８Ｂとで上下から挟まれ、ヘッド保持台５０が中心軸５２の傾き方向に揺動可能である。
【００３８】
前記刃押え板９０には前記刃ユニットの内刃８４のボス部８６を囲む３つの内刃落下防止リング９０Ｂが一体に形成されている（図１０）。これらの内刃落下防止リング９０Ｂは、ヘッド部２６に３組の刃ユニットを組付け、さらに刃押え板９０を刃枠６６に固定した状態で、ヘッド部２６の着脱・開閉時に内刃８４が脱落するのを防止する。
【００３９】
このように構成されたヘッド部２６は、ヘッド保持台５０にヒンジ１００で開閉可能に取付けられる。すなわち刃枠６６の縁に揺動自在に保持した略Ｕ字状の部材からなるヒンジ１００を、ヘッド保持台５０に形成した溝孔に差し込んで保持するものである。ヘッド保持台５０のヒンジ１００と反対側の縁は、ヘッド保持台５０に設けたロック装置１０２によりロック可能である。
【００４０】
この実施例において、外刃ケース組７０の外刃リム７４は揺動軸８０（図５）を中心にして揺動可能であり、外刃リム７４はヘッド中央側（中心軸５２側）が押上板９２のリブ９２Ａ（図３、４、６、１０）により弾性的に押上げられている。このためヘッド部２６の上面（髭剃り面）を皮膚に押当てた時には外刃リム７４が押上板９２を押下げながら揺動する。この時に３組のうち１組の外刃ケース組７０だけが押し下げられた時には押上板９２は傾くだけで他の外刃ケース組７０の押下げ力に影響を及ぼさない。このため３つの外刃ケース組７０の揺動は互いに影響を及ぼすことなく独立性をもって揺動することになり、３つの外刃ケース組７０間の剃り味に影響することがない。
【００４１】
また３つの外刃リム７４の取付口６８の間には刃枠６６の上面が現れている（図１、４、５）。このため一部の外刃リム７４が深く沈み込んだ状態でヘッド部２６を皮膚上で滑らせた時には、皮膚の凸部は隣接する外刃リム７４の間で刃枠６６上面で一時的に支持される。すなわち隣接する外刃リム７４の高さの差を刃枠６６の上面で緩和することになるから、ヘッド部２６の移動が円滑になる。
【符号の説明】
【００４２】
１０  本体部
２６  ヘッド部
３２  減速機
３４  内刃駆動軸
５０  ヘッド保持台
５２  中心軸
５４  自在継手
６６  刃枠
６６Ａ  リブ
６８  取付口
７０  外刃ケース組
７２  外刃
７４  外刃リム
８０  揺動軸
８２  係合爪
８４  内刃
９０  刃押え板
９０Ｂ  内刃脱落防止リング
９２  押上板
９２Ａ  リブ
９４  外刃フロートバネ
９６  着脱板
【図１】
0005424258.tif 000002
【図２】
0005424258.tif 000003
【図３】
0005424258.tif 000004
【図４】
0005424258.tif 000005
【図５】
0005424258.tif 000006
【図６】
0005424258.tif 000007
【図７】
0005424258.tif 000008
【図８】
0005424258.tif 000009
【図９】
0005424258.tif 000010
【図１０】
0005424258.tif 000011